(57)【要約】【課題】波形屋根に対して、強固にかつ安定した状態に取り付けることができる屋根上取付具を提供する。【解決手段】両内向鍔片１２のそれぞれの先端部１２ｂには、相互に対向し、内周が円弧形に湾曲した分割雌ネジ凹所１２ｂａが形成されており、両分割雌ネジ凹所１２ｂａは、ボルト体２１の雄ネジ部２１ａを挟み込んで噛合する構造となっている。【選択図】図１
2010255303.tif 000002
【特許請求の範囲】
【請求項１】
両脚片を備えて断面略倒コ字形に形成された本体部と、該両脚片のそれぞれの下端から対向するように折曲延設された両内向鍔片とをすくなくとも備えてなり、上記両脚片を緊締して、上記両内向鍔片を相互に近接させて、波形屋根の頂部より突出したボルト体に挟着させる構造とした屋根上取付具において、
上記両内向鍔片のそれぞれの先端部には、相互に対向し、内周が円弧形に湾曲した分割雌ネジ凹所が形成されており、
上記両分割雌ネジ凹所は、上記ボルト体の雄ネジ部を挟み込んで噛合する構造となっていることを特徴とする屋根上取付具。
【請求項２】
請求項１において、
上記分割雌ネジ凹所は、上記内向鍔片の先端部の辺縁を切り欠いて形成されている屋根上取付具。
【請求項３】
請求項１において、
上記内向鍔片の先端部には、該先端部から上方に延びた起立片がさらに形成されており、
上記分割雌ネジ凹所は、上記起立片の上下方向に凹溝状に形成されている屋根上取付具。
【発明の詳細な説明】
【技術分野】
【０００１】
本発明は、波形屋根の頂部より突出したボルト体に挟着させて、屋根上に取り付けるようにした屋根上取付具に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、山部と谷部とが交互に連続してなる波形屋根における山部の頂部等で、隣接する波形屋根材同士を重ねて形成された重合部をボルト体とナットの螺着によって連結、固定した構造のものでは、重合部を屋根の下方より貫通して屋根上に突出された、屋根材連結のためのボルト体を、対向する挟着片で挟み込んで固定する構造の屋根上取付具も提案されている。
【０００４】
この屋根上取付具は、両脚片を備えて断面略倒コ字形に形成した本体部と、その両脚片の下端から対向するように延びた両内向鍔片（両挟着片）とを備えており、両脚片を横方向に貫通する緊締用ボルトおよびナットで両脚片を緊締して、ボルト体に両内向鍔片を挟着させて取り付ける構造となっている。このような取付構造によれば、内向鍔片の先端部がボルト体のネジ溝に食い込んで固定できるため、屋根上取付具が容易に外れるおそれはない。
【先行技術文献】
【特許文献】
【０００５】
【特許文献１】特許第３３６８３７４号
【発明の概要】
【発明が解決しようとする課題】
【０００６】
ところが、この種の構造のものでは、波形屋根の上面に、上記ボルト体に螺着されるナットが配されているから、そのナットよりも上方位置に屋根上取付具を取り付ける必要があり、そのため、屋根上取付具を屋根に密着した状態で取り付けることはできず、不安定になってしまうおそれがあった。
【０００７】
本発明は、このような事情を考慮して提案されたもので、その目的は、波形屋根に対して、強固にかつ安定した状態に取り付けることができる屋根上取付具を提供することにある。また、部品点数を減らすことも本発明の目的に含まれる。
【課題を解決するための手段】
【０００８】
上記目的を達成するために、請求項１に係る屋根上取付具は、両脚片を備えて断面略倒コ字形に形成された本体部と、該両脚片のそれぞれの下端から対向するように折曲延設された両内向鍔片とをすくなくとも備えてなり、両脚片を緊締して、両内向鍔片を相互に近接させて、波形屋根の頂部より突出したボルト体に挟着させる構造とした屋根上取付具において、両内向鍔片のそれぞれの先端部には、相互に対向し、内周が円弧形に湾曲した分割雌ネジ凹所が形成されており、両分割雌ネジ凹所は、ボルト体の雄ネジ部を挟み込んで噛合する構造となっていることを特徴としている。
【０００９】
請求項２に係る屋根上取付具は、分割雌ネジ凹所が内向鍔片の先端部の辺縁を切り欠いて形成されている。
【００１０】
請求項３に係る屋根上取付具は、内向鍔片の先端部に先端部から上方に延びた起立片がさらに形成されており、分割雌ネジ凹所は起立片の上下方向に凹溝状に形成されている。
【発明の効果】
【００１１】
本発明によれば、次のような効果がある。
【００１２】
すなわち、請求項１に係る屋根上取付具によれば、両内向鍔片のそれぞれの先端部に、相互に対向し、内周が円弧形に湾曲した分割雌ネジ凹所が形成され、その分割雌ネジ凹所がボルト体の雄ネジ部を挟み込んで噛合する構造となっているので、内向鍔片をボルト体に強固に挟着させることができる。また、内向鍔片に雌ネジ構造が備わっているので、ボルト体と螺合するナットを必要とせず、部品点数を減らすことができる。また、ナットが不要なため、内向鍔片を波形屋根の上面に密着させることができ、屋根上取付具を波形屋根に対して、安定して強固に取り付けることができる。
【００１３】
請求項２に係る屋根上取付具では、分割雌ネジ凹所が内向鍔片の先端部の辺縁を切り欠いた形状となっているので、特別な部材を必要とせず雌ネジ構造を形成できる。
【００１４】
請求項３に係る屋根上取付具では、分割雌ネジ凹所が内向鍔片の先端部から延びた起立片の上下方向に凹溝状に形成されているため、ボルト体の雄ネジ部のほぼ全長に対して噛合することができ、屋根上取付具を波形屋根に強固に取り付けることができる。
【図面の簡単な説明】
【００１５】
【図１】本発明に係る屋根上取付具の第１の実施形態を示す分解斜視図である。
【図２】屋根上取付具を波形屋根へ取り付けた状態を示す斜視図である。
【図３】（ａ）、（ｂ）は、図１で示した屋根上取付具の施工状態を示す断面図である。
【図４】（ａ）、（ｂ）は、図１で示した屋根上取付具の施工状態を示す断面図である。
【図５】同実施形態の屋根上取付具の他の波形屋根への取付例を示す分解斜視図である。
【図６】本発明に係る屋根上取付具の第２の実施形態を示す分解斜視図である。
【図７】屋根上取付具を波形屋根へ取り付けた状態を示す斜視図である。
【図８】（ａ）、（ｂ）は、図６で示した屋根上取付具の施工状態を示す断面図である。
【図９】（ａ）、（ｂ）は、図６で示した屋根上取付具の施工状態を示す断面図である。
【発明を実施するための形態】
【００１６】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００１７】
図１は、本発明に係る屋根上取付具の第１の実施形態を示す分解斜視図である。図２は、屋根上取付具を波形屋根へ取り付けた状態を示す斜視図である。また、図３（ａ）、（ｂ）および図４（ａ）、（ｂ）は、屋根上取付具の施工状態を示す断面図である。
【００１８】
本実施形態に使用される折板屋根３０は、山部３１と谷部３２とが交互に連続する屋根であって、複数の折板屋根材を山部３１の頂部３１ａで重合し、その重合部３０ａでボルト体２１と、後述する屋根上取付具１０の分割雌ネジ凹所との螺着によって連結した重ね式構造となっている。また、ボルト孔３０ｂからの水浸入を防止するために、頂部３１ａ上面のボルト孔３０ｂの周辺等に防水パッキン（図示省略）を取り付けることが望ましい。
【００１９】
一方、屋根上取付具１０は、金属板または硬質樹脂板よりなり、折板屋根３０の頂部３１ａより上方に突出した重合部連結用の上記ボルト体２１に挟着して、取付、固定する構造となっている。
【００２０】
具体的には、屋根上取付具１０は、上板１１ａと、その両端から下方に延びる両脚片１１ｂ、１１ｂとを備えた断面略倒コ字形の本体部１１と、両脚片１１ｂ、１１ｂのそれぞれの下端から対向するように折曲延設された両内向鍔片１２、１２とをすくなくとも備えてなり、両脚片１１ｂ、１１ｂを緊締して、両内向鍔片１２、１２を相互に近接させて、上記ボルト体２１の雄ネジ部２１ａに挟着させる構造となっている。また両脚片１１ｂ、１１ｂの緊締は、対向する両脚片１１ｂ、１１ｂに開設された軸孔１１ｂａ、１１ｂａに貫通された緊締用ボルト１３と、緊締用ナット１４との螺合によってなされる。
【００２１】
両内向鍔片１２のそれぞれの先端部１２ｂには、両先端部１２ｂがボルト体２１の雄ネジ部２１ａに挟着したときに、両方で雌ネジ部を構成する分割雌ネジ凹所１２ｂａが形成されている。この分割雌ネジ凹所１２ｂａは、相互に対向した位置にあり、先端部１２ｂの辺縁中央を円弧形（図例では半円形）に切り欠いた形状となっており、その内周面にはネジ溝が切られている。つまり、内向鍔片１２の先端部１２ｂ同士がほぼ接触した状態になると、近接した両分割雌ネジ凹所１２ｂａによって、連続した両内向鍔片の中央には半円ずつに分離された円形の仮想の貫通ネジ孔が形成される。
【００２２】
また、本体部１１の上板１１ａの中央には、各種機器・部材類を取付可能とした剣先ボルト１５が立設されている。
【００２３】
この屋根上取付具１０が折板屋根３０に正しく取り付けられたときには、図２に示すように、２つの分割雌ネジ凹所１２ｂａが結合されてできた仮想の貫通ネジ孔にボルト体２１の雄ネジ部２１ａが嵌挿されるように、内向鍔片１２による隙間のない挟着状態が形成される。このとき、雄ネジ部２１ａと分割雌ネジ凹所１２ｂａとは、ネジ溝とネジ山が相互に噛み合って、強固な挟着関係が形成される。
【００２４】
なお、この例では、両分割雌ネジ凹所１２ｂａによって円形を形成して、ボルト体２１の雄ネジ部２１ａの全周にわたって噛合できるものを示したが、雄ネジ部２１ａの周囲の一部に噛合できるものであってもよい。つまり、各分割雌ネジ凹所１２ｂａは、半円に満たない扇形の円弧をなすものでもよい。
【００２５】
また、このように雄ネジ部２１ａと分割雌ネジ凹所１２ｂａとは螺合関係にあるため、図３、４で詳述するように、屋根上取付具１０を回転させて螺進させながら、屋根上取付具１０と折板屋根３０との間に隙間ができないように、確実に折板屋根３０に固定させることができる。
【００２６】
以上のように構成した屋根上取付具１０は、以下の要領で折板屋根３０に取り付けて使用する。なお、ボルト体２１はあらかじめ折板屋根３０の頂部３１ａに突設させておくが、ナットで固定していないため屋根上取付具１０の取付作業中にボルト体２１が外れることを防止して、ボルト体２１を仮止めする挟持具等（不図示）を用いることが望ましい。
【００２７】
まず、屋根上取付具１０の両脚片１１ｂ、１１ｂの軸孔１１ｂａの一方から緊締用ボルト１３の軸部１３ａを貫通したうえで、緊締用ボルト１３の先端側から緊締用ナット１４を軽く締めて仮止め状態にし、その屋根上取付具１０を、折板屋根３０に突出したボルト体２１の上方から、分割雌ネジ凹所１２ｂａ間にボルト体２１が嵌挿されるようにして、折板屋根３０の頂部３１ａの上面に載置する（図３（ａ）、（ｂ）参照）。
【００２８】
次に、仮止め状態にしていた緊締用ボルト１３および緊締用ナット１４を締め付けると、この締め付け力によって両脚片１１ｂ、１１ｂが近接して、両分割ネジ凹所１２ｂａが相互に近づき、ボルト体２１の雄ネジ部２１ａをその周囲を取り囲むように挟み込むとともに、分割雌ネジ凹所１２ｂａと雄ネジ部２１ａとが相互に噛み合って、螺合関係を形成する（図３（ｂ）、図４（ａ）参照）。
【００２９】
この状態では、図３（ｂ）および図４（ａ）に示すように、内向鍔片１２の底面と折板屋根３０の頂部３１ａ上面との間にわずかな隙間Ｓが形成される場合があるが、屋根上取付具３０とボルト体２１とは螺合関係にあるので、屋根上取付具１０を螺進回転させることで、頂部３１ａとの隙間Ｓをなくして密着させることができる（図４（ｂ）参照）。
【００３０】
こうして折板屋根３０に取り付けた屋根上取付具１０の本体部１１の上には、各種機器・部材類Ｄを取り付けることができる（図４（ｂ）参照）。
【００３１】
このように、内向鍔片１２の分割雌ネジ凹所１２ｂａと、ボルト体２１の雄ネジ部２１ａとの螺合・挟着関係により、屋根上取付具１０を折板屋根３０に強固に取り付けることができる。また、屋根上取付具１０自体を回転させて固定できるので、工具を使用せずに取付作業を楽に行える。
【００３２】
また、ボルト体２１と螺合するナットを必要としない構成であるため、部品点数を減らすことができる。さらに、ナットを使用しないため、内向鍔片１２を折板屋根３０の頂部３１ａ上面に密着させることができ、安定感を向上させることができる。もちろん、ナットを使用した構成であってもよい。
【００３３】
また、本実施形態では、屋根上取付具１０を折板屋根３０に取り付けるためのボルト体２１は、屋根材連結用のものが兼用されているため、取付のための部品点数を少なくすることができる。
【００３４】
図５は、第１の実施形態で示した屋根上取付具１０の、他種の折板屋根への取付状態を示す分解斜視図である。なお、本図例に示した屋根上取付具１０は第１の実施形態と同一のものであるため、その詳細構造については説明を割愛する。
【００３５】
本図例で屋根上取付具１０の取付対象となる波形屋根は、屋根材の連結をハゼ部３５によって行うハゼ式の折板屋根３０である。すなわち、このハゼ部３５は、両屋根材が頂部３１ａより重合、突設してなる屋根材重合基部３５ａを介して、その先端で結合された構造となっている。なお、ハゼ式の折板屋根３０の上面に断面略Ｌ字形に突出された角ハゼ等についても同様に適用可能である。
【００３６】
屋根上取付具１０の折板屋根３０に対する施工手順は、図３、図４に示した施工手順とほぼ同様であるため図示を省略する。つまり、緊締用ボルト１３の先端側から緊締用ナット１４を軽く締めて、折板屋根のハゼ部３５に対して仮止めし、さらに締め付けて、内向鍔片１２をハゼ部３５の屋根材重合基部３５ａに挟着させることができる。
【００３７】
このように、本図例のようなハゼ式の折板屋根３０の場合、屋根上取付具１０の分割雌ネジ凹所１２ｂａは用をなさないが、両脚片１１ｂの緊締によって両内向鍔片１２で対象物を挟み込む構造であるため、ハゼ式の折板屋根３０にも容易に適用できる。また、分割雌ネジ凹所１２ｂａは内向鍔片１２の先端部１２ｂの辺縁を切り欠いた形状となっているので、ハゼ部３５への挟着には邪魔にはならない。
【００３８】
ついで、第２の実施形態について説明する。
【００３９】
図６は、本発明に係る屋根上取付具の第２の実施形態を示す分解斜視図である。図７は、屋根上取付具を波形屋根へ取り付けた状態を示す斜視図である。また、図８（ａ）、（ｂ）および図９（ａ）、（ｂ）は、屋根上取付具の施工状態を示す断面図である。
【００４０】
なお、第１の実施形態で示した図１〜図４と共通する重合式の折板屋根３０の構造については説明を省略する。
【００４１】
屋根上取付具１０は、金属板または硬質樹脂板よりなり、折板屋根３０の頂部３１ａより上方に突出した重合部連結用の上記ボルト体２１に挟着して、取付、固定する構造となっている。
【００４２】
具体的には、屋根上取付具１０は、上板１１ａと、その両端から下方に延びる両脚片１１ｂ、１１ｂとを備えた断面略倒コ字形の本体部１１と、両脚片１１ｂ、１１ｂのそれぞれの下端から対向するように折曲延設された両内向鍔片１２、１２とをすくなくとも備えてなり、両脚片１１ｂ、１１ｂを緊締して、両内向鍔片１２、１２を相互に近接させて、上記ボルト体２１の雄ネジ部２１ａに挟着させる構造となっている。また両脚片１１ｂ、１１ｂの緊締は、対向する両脚片１１ｂ、１１ｂに開設された軸孔１１ｂａ、１１ｂａに貫通された緊締用ボルト１３と、緊締用ナット１４との螺合によってなされる。
【００４３】
本実施形態では、両内向鍔片１２のそれぞれの先端部１２ｂに、先端部１２ｂの辺縁から上方に延びた起立片１２ｃが形成されている。これらの起立片１２ｃは、緊締前において、所定の空隙を介してほぼ平行に起立しており、それぞれの中央には、上下方向に沿って凹溝状の分割雌ネジ凹所（以下では、分割雌ネジ凹溝１２ｃａという）が形成されている。
【００４４】
分割雌ネジ凹溝１２ｃａは、両起立片１２ｃの対向両面に内周を半円形に湾曲させて形成したもので、内周面にはネジ溝が切られて雌ネジ部が形成されている。また、起立片１２ｃのその裏面側には分割雌ネジ凹溝１２ｃａによってできた凸条が見られる。
【００４５】
この屋根上取付具１０が折板屋根３０に正しく取り付けられたときには、図７に示すように、２つの分割雌ネジ凹溝１２ｃａがボルト体２１の雄ネジ部２１ａに隙間なく挟着する。このとき、雄ネジ部２１ａと分割雌ネジ凹溝１２ｃａとは、ネジ溝とネジ山が相互に噛み合って、強固な挟着関係が形成される。特に、分割雌ネジ凹溝１２ｃａは起立片１２ｃの全高にわたり形成されているので、ボルト体２１の雄ネジ部２１ａのほぼ全長にわたって内向鍔片１２の起立片１２ｃを挟着させることができる。なお、本実施形態においても、分割雌ネジ凹溝１２ｃａは雄ネジ部２１ａの周囲の一部に噛合できるものであってもよい。
【００４６】
以上のように構成した屋根上取付具１０は、以下の要領で折板屋根３０に取り付けて使用する。
【００４７】
まず、屋根上取付具１０の両脚片１１ｂ、１１ｂの軸孔１１ｂａの一方から緊締用ボルト１３の軸部１３ａを貫通したうえで、緊締用ボルト１３の先端側から緊締用ナット１４を軽く締めて仮止め状態にし、その屋根上取付具１０を、折板屋根３０に突出したボルト体２１の上方から、起立片１２ｃの分割雌ネジ凹溝１２ｃａ同士の間にできた空間にボルト体２１が嵌挿されるようにして、折板屋根３０の頂部３１ａの上面に載置する（図８（ａ）、（ｂ）参照）。
【００４８】
次に、仮止め状態にしていた緊締用ボルト１３および緊締用ナット１４を締め付けると、この締め付け力によって両脚片１１ｂ、１１ｂが近接して、両分割ネジ凹溝１２ｃａが近づき、ボルト体２１の雄ネジ部２１ａをその周囲を取り囲むように挟み込むとともに、分割雌ネジ凹溝１２ｃａと雄ネジ部２１ａとが相互に噛み合って、螺合関係を形成する（図８（ｂ）、図９（ａ）参照）。
【００４９】
この状態では、図８（ｂ）および図９（ａ）に示すように、内向鍔片１２の底面と折板屋根３０の頂部３１ａ上面との間にわずかな隙間Ｓが形成されることがあるが、屋根上取付具１０とボルト体２１とは螺合関係にあるので、屋根上取付具１０を螺進回転させることで、頂部３１ａとの隙間Ｓをなくして密着させることができる（図９（ｂ）参照）。
【００５０】
こうして折板屋根３０に取り付けた屋根上取付具１０の本体部１１の上には、各種機器・部材類Ｄを取り付けることができる（図９（ｂ）参照）。
【００５１】
このように、内向鍔片１２の起立片１２ｃに形成した分割雌ネジ凹溝１２ｃａと、ボルト体２１の雄ネジ部２１ａとの間に螺合・挟着関係があるため、第１の実施形態で示した屋根上取付具１０と同様に、屋根上取付具１０を折板屋根３０に強固に安定的に取り付けることができる。また、屋根上取付具１０自体を螺進回転させて固定できるので、工具を使用せずに施工を楽に行える。また、分割雌ネジ凹所がボルト体２１の雄ネジ部２１ａを、より長い範囲で挟着できる凹溝形状となっているので、両者は強く連結される。
【００５２】
以上の第１、第２の実施形態では、屋根上取付具１０を隣接する両屋根材の重合部３０ａに配した例を示したが、重合部３０ａが形成されていない山部の頂部に屋根上取付具１０を取り付けてもよい。
【００５３】
また、以上の第１、第２の実施形態では、山部３１、谷部３２の方向に沿って両脚片１１ｂ、１１ｂが配列されるように屋根上取付具１０を配した例を示したが、波の方向に沿って両脚片１１ｂ、１１ｂが配列されるように屋根上取付具１０を配してもよい。
【００５４】
なお、屋根上取付具１０は上記２種の方向に配することが望ましいが、それら以外のどのような方向に配してもよい。
【００５５】
また、上記屋根上取付具は、平板形（波形を形成していない）屋根に取り付けることも可能である。
【００５６】
なお、以上に示した実施形態では、分割雌ネジ凹所１２ｂａまたは分割ネジ凹溝１２ｃａよりなる雌ネジ部が、ボルト体２１の雄ネジ部２１ａに螺合するものを示したが、両者はすくなくとも噛合関係にあればよく、確実に螺合関係が形成されなくてもよい。つまり、内向鍔片１２がボルト体２１に挟着して、分割雌ネジ凹所１２ｂａまたは分割ネジ凹溝１２ｃａと雄ネジ部２１ａとが噛合したのちに螺進回転できないような構造であってもよい。
【符号の説明】
【００５７】
１０      屋根上取付具
１１      本体部
１１ａ      上板
１１ｂ      脚片
１２      内向鍔片
１２ｂ      先端部
１２ｂａ      分割雌ネジ凹所
１２ｃ      起立片
１２ｃａ      分割雌ネジ凹溝（分割雌ネジ凹所）
２１      ボルト体
２１ａ      雄ネジ部
２２      ナット
２３      座金
３０      折板屋根（波形屋根）
３０ａ      重合部
３１      山部
３１ａ      頂部
３２      谷部
【図１】
2010255303.tif 000003
【図２】
2010255303.tif 000004
【図３】
2010255303.tif 000005
【図４】
2010255303.tif 000006
【図５】
2010255303.tif 000007
【図６】
2010255303.tif 000008
【図７】
2010255303.tif 000009
【図８】
2010255303.tif 000010
【図９】
2010255303.tif 000011